(57)【特許請求の範囲】
【請求項１】
第１凸部が形成された一端部と、
前記第１凸部と対向する第２凸部が形成された他端部と、
前記一端部及び他端部に連なる中間部と、
前記他端部に形成され前記一端部を係合させる係合部と、
を具備し、前記第１凸部と第２凸部との間に可撓性チューブを挿通した状態にて前記中間部を撓ませつつ前記一端部を係合部に係合させると、前記第１凸部と第２凸部とが近接して前記可撓性チューブをクランプし、その部位における流体の流れを遮断する可撓性チューブのクランプ装置において、
前記一端部を係合部に係合させて可撓性チューブをクランプした状態で、当該可撓性チューブの長手方向に対する前記第１凸部及び第２凸部の相対的位置決めが可能な位置決め部を備え、当該位置決め部は、前記一端部及び他端部にそれぞれ形成された嵌入部及び被嵌入部から成り、当該一端部を係合部に係合させた状態で当該被嵌入部に嵌入部が嵌入することにより前記第１凸部及び第２凸部の相対的位置決めが可能とされ、且つ、前記一端部又は他端部における両側面の縁部からそれぞれ立設した壁部を有するとともに、当該壁部に前記嵌入部又は被嵌入部が形成され、前記一端部を係合部に係合させる過程で当該一端部を前記壁部にて案内し得るものとされ、且つ、前記係合部は、前記他端部の先端に形成され、前記一端部の先端に形成された被係合部を係合可能とされるとともに、前記第１凸部、第２凸部及び位置決め部は、当該一端部又は他端部における前記被係合部及び係合部の形成位置より前記中間部側に形成されたことを特徴とする可撓性チューブのクランプ装置。
【請求項２】
前記嵌入部及び被嵌入部は、突起部及び凹溝から成り、前記一端部を係合部に係合させた状態で当該凹溝に突起部が嵌入することにより前記第１凸部及び第２凸部の相対的位置決めが可能とされたことを特徴とする請求項１記載の可撓性チューブのクランプ装置。
【請求項３】
前記壁部において内側に向かって突出形成され、前記第１凸部と第２凸部との間に挿通された可撓性チューブを当該壁部から離間させ得る離間部を有することを特徴とする請求項１又は請求項２記載の可撓性チューブのクランプ装置。
【請求項４】
請求項１〜３の何れか１つに記載の可撓性チューブのクランプ装置が取り付けられたことを特徴とする医療用回路。
【発明の詳細な説明】
【技術分野】
【０００１】
本発明は、第１凸部と第２凸部との間に可撓性チューブを挿通した状態にて中間部を撓ませつつ一端部を係合部に係合させると、第１凸部と第２凸部とが近接して可撓性チューブをクランプし、その部位における流体の流れを遮断する可撓性チューブのクランプ装置に関するものである。
【背景技術】
【０００２】
一般に透析装置等に適用される血液回路は、医療現場における患者の血液や生理食塩水又は投与する薬剤等を流動させ得る可撓性チューブから主に構成されており、ダイアライザーやチャンバーといった各構成要素間を連結し得るよう構成されている。かかる可撓性チューブの所望の部位を遮断するための従来のクランプ装置は、例えば特許文献１にて開示されているように、第１凸部が形成された一端部と、第１凸部と対向する第２凸部が形成された他端部と、一端部及び他端部に連なる中間部と、他端部に形成され一端部を係合させる係合部とを具備していた。【０００３】
かかる従来のクランプ装置によれば、第１凸部と第２凸部との間に可撓性チューブを挿通した状態にて中間部を撓ませつつ一端部を係合部に係合させると、第１凸部と第２凸部とが近接して可撓性チューブを強く挟持することでクランプし、その部位における流体の流れを遮断することができる。また、かかる従来のクランプ装置においては、一端部を係合部に案内するガイド部が設けられており、かかるガイド部により、クランプ作業性を維持しつつクランプ時における一端部の幅方向へのずれを防止することができる。
【先行技術文献】
【特許文献】
【０００４】
【特許文献１】特開２００１−３５３２１５号公報
【発明の概要】
【発明が解決しようとする課題】
【０００５】
しかしながら、上記従来技術においては、クランプ時における一端部の幅方向へのずれを防止することができるものの、可撓性チューブの長手方向へのずれを防止する特徴のある機構を有していなかった。そのため、可撓性チューブの長手方向に対して第１凸部と第２凸部が精密に設計されていない場合、第１凸部と第２凸部がずれた位置で可撓性チューブの長手方向へ当該可撓性チューブをクランプして液漏れを生じてしまう虞があった。そして、そのずれた位置であってもクランプを確実に行わせるためには、第１凸部における第２凸部との対向部位及び第２凸部における第１凸部との対向部位（シール面積）をそれぞれ大きく形成する必要があった。このように、シール面積を大きくした場合、クランプ力が過大となってしまう虞があり、一端部の係合部に対する係合を解いてクランプを解除する際、大きな力が必要となってしまい、作業性が悪化してしまう可能性があった。【０００６】
本発明は、このような事情に鑑みてなされたもので、クランプ時の液漏れを防止しつつシール面積を最小限とすることができ、クランプを容易に解除させることができる可撓性チューブのクランプ装置を提供することにある。
【課題を解決するための手段】
【０００７】
請求項１記載の発明は、第１凸部が形成された一端部と、前記第１凸部と対向する第２凸部が形成された他端部と、前記一端部及び他端部に連なる中間部と、前記他端部に形成され前記一端部を係合させる係合部とを具備し、前記第１凸部と第２凸部との間に可撓性チューブを挿通した状態にて前記中間部を撓ませつつ前記一端部を係合部に係合させると、前記第１凸部と第２凸部とが近接して前記可撓性チューブをクランプし、その部位における流体の流れを遮断する可撓性チューブのクランプ装置において、前記一端部を係合部に係合させて可撓性チューブをクランプした状態で、当該可撓性チューブの長手方向に対する前記第１凸部及び第２凸部の相対的位置決めが可能な位置決め部を備え、当該位置決め部は、前記一端部及び他端部にそれぞれ形成された嵌入部及び被嵌入部から成り、当該一端部を係合部に係合させた状態で当該被嵌入部に嵌入部が嵌入することにより前記第１凸部及び第２凸部の相対的位置決めが可能とされ、且つ、前記一端部又は他端部における両側面の縁部からそれぞれ立設した壁部を有するとともに、当該壁部に前記嵌入部又は被嵌入部が形成され、前記一端部を係合部に係合させる過程で当該一端部を前記壁部にて案内し得るものとされ、且つ、前記係合部は、前記他端部の先端に形成され、前記一端部の先端に形成された被係合部を係合可能とされるとともに、前記第１凸部、第２凸部及び位置決め部は、当該一端部又は他端部における前記被係合部及び係合部の形成位置より前記中間部側に形成されたことを特徴とする。
【０００９】
請求項２記載の発明は、請求項１記載の可撓性チューブのクランプ装置において、前記嵌入部及び被嵌入部は、突起部及び凹溝から成り、前記一端部を係合部に係合させた状態で当該凹溝に突起部が嵌入することにより前記第１凸部及び第２凸部の相対的位置決めが可能とされたことを特徴とする。
【００１２】
請求項３記載の発明は、請求項１又は請求項２記載の可撓性チューブのクランプ装置において、前記壁部において内側に向かって突出形成され、前記第１凸部と第２凸部との間に挿通された可撓性チューブを当該壁部から離間させ得る離間部を有することを特徴とする。
【００１４】
請求項４記載の発明は、請求項１〜３の何れか１つに記載の可撓性チューブのクランプ装置が取り付けられたことを特徴とする医療用回路である。
【発明の効果】
【００１５】
請求項１の発明によれば、一端部を係合部に係合させて可撓性チューブをクランプした状態で、当該可撓性チューブの長手方向に対する第１凸部及び第２凸部の相対的位置決めが可能な位置決め部を備えたので、クランプ時の液漏れを防止しつつシール面積を最小限とすることができ、クランプを容易に解除させることができる。【００１６】
また、位置決め部は、一端部及び他端部にそれぞれ形成された嵌入部及び被嵌入部から成り、当該一端部を係合部に係合させた状態で当該被嵌入部に嵌入部が嵌入することにより第１凸部及び第２凸部の相対的位置決めが可能とされたので、可撓性チューブの長手方向に対する第１凸部及び第２凸部の相対的位置決めをより確実に行わせることができる。
また、一端部又は他端部における側面の縁部から立設した壁部を有するとともに、当該壁部に嵌入部又は被嵌入部が形成されたので、被嵌入部に対する嵌入をより円滑且つ確実に行わせることができる。
さらに、壁部は、一端部又は他端部における両側面の縁部からそれぞれ立設されるとともに、一端部を係合部に係合させる過程で当該一端部を案内し得るので、可撓性チューブの長手方向に対する第１凸部及び第２凸部の相対的位置決めに加え、一端部の案内を行わせることができる。
またさらに、係合部は、他端部の先端に形成され、一端部の先端に形成された被係合部を係合可能とされるとともに、第１凸部、第２凸部及び位置決め部は、当該一端部又は他端部における被係合部及び係合部の形成位置より中間部側に形成されたので、係合部の被係合部に対する係止をより小さい力で容易に行わせることができるとともに、可撓性チューブの長手方向に対する第１凸部及び第２凸部の相対的位置決めをより確実に行わせることができる。
【００１７】
請求項２の発明によれば、嵌入部及び被嵌入部は、突起部及び凹溝から成り、一端部を係合部に係合させた状態で当該凹溝に突起部が嵌入することにより第１凸部及び第２凸部の相対的位置決めが可能とされたので、可撓性チューブの長手方向に対する第１凸部及び第２凸部の相対的位置決めを簡素な構成でより確実に行わせることができる。
【００２０】
請求項３の発明によれば、壁部において内側に向かって突出形成され、第１凸部と第２凸部との間に挿通された可撓性チューブを当該壁部から離間させ得る離間部を有するので、可撓性チューブの長手方向に対する第１凸部及び第２凸部の相対的位置決めに加え、可撓性チューブの径方向に対する位置決めを行わせることができる。
【００２２】
請求項４の発明によれば、請求項１〜３の何れか１つに記載の可撓性チューブのクランプ装置による効果を伴った医療用回路を提供することができる。
【図面の簡単な説明】
【００２３】
【図１】本発明の第１の実施形態に係る可撓性チューブのクランプ装置を示す斜視図
【図２】同可撓性チューブのクランプ装置（クランプ前）を示す縦断面図
【図３】同可撓性チューブのクランプ装置（クランプ後）を示す（ａ）縦断面図（ｂ）側面図
【図４】本発明の第２の実施形態に係る可撓性チューブのクランプ装置を示す斜視図
【図５】同可撓性チューブのクランプ装置（クランプ前）を示す縦断面図
【図６】同可撓性チューブのクランプ装置（クランプ後）を示す（ａ）縦断面図（ｂ）側面図
【図７】本発明の第３の実施形態に係る可撓性チューブのクランプ装置を示す斜視図
【図８】同可撓性チューブのクランプ装置（クランプ前）を示す縦断面図
【図９】同可撓性チューブのクランプ装置（クランプ後）を示す（ａ）縦断面図（ｂ）側面図
【図１０】本発明の第４の実施形態に係る可撓性チューブのクランプ装置を示す斜視図
【図１１】同可撓性チューブのクランプ装置（クランプ前）を示す縦断面図
【図１２】同可撓性チューブのクランプ装置（クランプ後）を示す（ａ）縦断面図（ｂ）側面図
【図１３】同可撓性チューブのクランプ装置が取り付けられた医療用回路を示す模式図
【発明を実施するための形態】
【００２４】
以下、本発明の第１の実施形態について図面を参照しながら具体的に説明する。
第１の実施形態に係る可撓性チューブのクランプ装置は、例えば人工透析治療時に患者の血液を流すべく使用される血液回路や、該血液回路に接続された各種構成要素から延設された薬剤や生理食塩水等を流すための流路を構成する可撓性チューブをクランプし、その内部の流体の流れを遮断するためのものであり、例えば図１〜３に示すような構成とされている。
【００２５】
かかるクランプ装置１は、第１凸部５が形成された一端部２と、第２凸部６が形成された他端部３と、これら一端部２と他端部３とに連なる中間部４とから主に成り、これら部位は所定の樹脂（例えば、ポリプロピレン、オレフィン系樹脂又はポリエチレン等）を一体成形して構成されている。なお、可撓性チューブをクランプする前の状態が図１、２に示されており、クランプした状態が図３に示されている。
【００２６】
一端部２は、その内側の面（図２、３における下面）から下方に延びて形成された凸状の第１凸部５を有しており、外側の面（同図上面）には作業者がクランプ作業時に指を滑らせないよう凹凸形状が形成されている。また、一端部２の先端は、厚み方向（肉厚方向）から見て鋭角に形成された被係合部２ａが形成されており、後述する係合部３ａとスムーズに係合し得るよう構成されている。
【００２７】
中間部４は、一端部２と他端部３との間に位置した部位であって、可撓性チューブＣを挿通させる一方の挿通孔４ａが形成されている。作業者は、この中間部４を撓ませることにより、一端部２の先端が他端部３の先端と近接する方向へ移動させ、当該一端部２の被係合部２ａを他端部３の係合部３ａに係合して、図３の状態（クランプ状態）とすることができる。
【００２８】
他端部３は、図２、３に示すように、略水平方向に延びた部位から起立した部位に亘って構成され、その水平方向に延びた部位に第２凸部６が形成されている。かかる第２凸部６は、既述の第１凸部５と対向した位置に形成されており、クランプ前の状態では、これら第１凸部５と第２凸部６とは、可撓性チューブＣを通すことが可能な離間寸法とされている。また、他端部３における起立した部位には、可撓性チューブＣを挿通するための他方の挿通孔３ｂが形成されており、かかる他方の挿通孔３ｂと既述した一方の挿通孔４ａとの間で可撓性チューブＣを挿通し、第１凸部５と第２凸部６との間に当該可撓性チューブを位置させることができるようになっている。
【００２９】
さらに、他端部３における起立した部位の先端には、既述の係合部３ａが形成されている。具体的には、他端部３の先端における内側面は、一端部２の先端に形成された被係合部２ａが摺動し得るようなだらかに起伏した形状とされ、所定位置で段差を形成し、該段差が係合部３ａを成している。そして、一端部２の被係合部２ａが他端部３の係合部３ａに係合されると、中間部４等の復元力によって一端部２が元の状態に戻ろうとするのを抑止し、図３の状態を維持することができるようになっている。
【００３０】
このように、一端部２の被係合部２ａが他端部３の係合部３ａに係合させると（図３参照）、第１凸部５と第２凸部６とが近接して可撓性チューブＣの上下から挟み込み、当該可撓性チューブＣを押圧して変形させることにより、内部の流体の流れを遮断することが可能とされている。すなわち、一方の挿通孔４ａ及び他方の挿通孔３ｂに挿通された可撓性チューブＣの一部が、第１凸部５及び第２凸部６によって押し潰され、流体の流路が閉塞されるのである。
【００３１】
ここで、本実施形態に係るクランプ装置１は、他端部３の両側面の縁部から一端部２に向かって立設した一対の壁部７が形成されており、これら壁部７には一端部２側に開口した凹溝から成る被嵌入部８が形成されている。かかる被嵌入部８は、図３に示すように、一端部２が係合部３ａに係合して可撓性チューブＣがクランプされた状態において、第１凸部５の両端部から成る嵌入部５ａを嵌入可能とされている。すなわち、一端部２を係合部３ａに係合させた状態で当該被嵌入部８に嵌入部５ａが嵌入することにより第１凸部５及び第２凸部６の可撓性チューブＣの長手方向に対する相対的位置決めが可能とされているのである。
【００３２】
しかして、本実施形態に係る嵌入部５ａ及び被嵌入部８は、本発明の「位置決め部」を構成しており、一端部２を係合部３ａに係合させて可撓性チューブＣをクランプした状態で、当該可撓性チューブＣの長手方向（すなわち、第１凸部５及び第２凸部６の延設方向と直交する方向であって、図３中左右方向）に対する第１凸部５及び第２凸部６の相対的位置決めが可能とされたものである。
【００３３】
上記実施形態によれば、一端部２を係合部３ａに係合させて可撓性チューブＣをクランプした状態で、当該可撓性チューブＣの長手方向に対する第１凸部５及び第２凸部６の相対的位置決めが可能な位置決め部（嵌入部５ａ及び被嵌入部８）を備えたので、クランプ時の液漏れを防止しつつシール面積を最小限とすることができ、クランプを容易に解除させることができる。特に、本実施形態に係る位置決め部は、一端部２及び他端部３にそれぞれ形成された嵌入部５ａ及び被嵌入部８から成り、当該一端部２を係合部３ａに係合させた状態で当該被嵌入部８に嵌入部５ａが嵌入することにより第１凸部５及び第２凸部６の相対的位置決めが可能とされたので、可撓性チューブＣの長手方向に対する第１凸部５及び第２凸部６の相対的位置決めをより確実に行わせることができる。
【００３４】
また、他端部３における側面の縁部から立設した壁部７を有するとともに、当該壁部７に被嵌入部８が形成されたので、被嵌入部８に対する嵌入をより円滑且つ確実に行わせることができる。なお、壁部７を一端部２における側面の縁部から他端部３に向かって立設させてもよく、この場合、壁部７に凹溝から成る被嵌入部を形成するとともに、当該被嵌入部に嵌入させ得る嵌入部が他端部３側に形成される。
【００３５】
さらに、本実施形態に係る一対の壁部７は、一端部２又は他端部３における両側面の縁部からそれぞれ立設されるとともに、一端部２を係合部３ａに係合させる過程で当該一端部２を案内し得るものとされている。このように、本実施形態に係るクランプ装置１によれば、位置決め部（嵌入部５ａ及び被嵌入部８）及び壁部７が形成されているので、可撓性チューブＣの長手方向に対する第１凸部５及び第２凸部６の相対的位置決めに加え、一端部２の案内を行わせることができる。
【００３６】
またさらに、本実施形態に係る一対の壁部７には、内側に向かって突出形成された離間部９が形成されている。この離間部９は、第１凸部５と第２凸部６との間に挿通された可撓性チューブＣを当該壁部７から所定寸法離間させ得るものである。このように、本実施形態に係るクランプ装置１によれば、位置決め部（嵌入部５ａ及び被嵌入部８）及び離間部９が形成されているので、可撓性チューブＣの長手方向に対する第１凸部５及び第２凸部６の相対的位置決めに加え、可撓性チューブＣの径方向に対する位置決めを行わせることができる。
【００３７】
また、本実施形態に係る係合部３ａは、他端部３の先端に形成され、一端部２の先端に形成された被係合部２ａを係合可能とされるとともに、第１凸部５、第２凸部６及び位置決め部（本実施形態においては嵌入部５ａ及び被嵌入部８）は、当該一端部２又は他端部３における被係合部２ａ及び係合部３ａの形成位置より中間部４側（図３中左側）に形成されたので、係合部３ａの被係合部２ａに対する係止をより小さい力で容易に行わせることができるとともに、可撓性チューブＣの長手方向に対する第１凸部５及び第２凸部６の相対的位置決めをより確実に行わせることができる。
【００３８】
本実施形態に係るクランプ装置１（以下の第２〜４の実施形態に係るクランプ装置も同様）は、図１３に示すように、患者の血液を体外循環させるための動脈側血液回路Ｄ１及び静脈側血液回路Ｄ２を有した血液回路（医療用回路）に取り付けられる。すなわち、本クランプ装置１は、動脈側血液回路Ｄ１及び静脈側血液回路Ｄ２の任意流路や分岐した流路に接続され、体外循環する血液や生理食塩液等の流れを遮断し得るようになっている。なお、同図においては、動脈側血液回路Ｄ１から分岐した流路、及び静脈側血液回路Ｄ２に接続された静脈側エアトラップチャンバｆから延設した流路にそれぞれクランプ装置１が取り付けられている。クランプ装置の配設位置は、医療用回路の可撓性チューブであれば何れの位置であってもよい。
【００３９】
しかるに、動脈側血液回路Ｄ１は、その先端に動脈側穿刺針が取付可能なシャントコネクタａを有し、途中に動脈側エアトラップチャンバｅが接続されるとともに、その基端に血液浄化器（ダイアライザ）の動脈側接続部と接続可能なダイアライザ接続部ｃを有している。また、静脈側血液回路Ｄ２は、その先端に静脈側穿刺針が取付可能なシャントコネクタｂを有し、途中に静脈側エアトラップチャンバｆが接続されるとともに、その基端に血液浄化器（ダイアライザ）の静脈側接続部と接続可能なダイアライザ接続部ｄを有している。符号Ｂは、可撓性チューブ内に対して薬剤等を注入又は血液等を採取し得るゴムボタン（混注部材）を示している。
【００４０】
次に、本発明に係る第２の実施形態について説明する。
第２の実施形態に係る可撓性チューブのクランプ装置は、第１の実施形態と同様、例えば人工透析治療時に患者の血液を流すべく使用される血液回路や、該血液回路に接続された各種構成要素から延設された薬剤や生理食塩水等を流すための流路を構成する可撓性チューブをクランプし、その内部の流体の流れを遮断するためのものであり、例えば図４〜６に示すような構成とされている。なお、第１の実施形態と同様の部位には同一の符号を付し、それらの詳細な説明を省略する。
【００４１】
本実施形態に係るクランプ装置１は、他端部３の両側面の縁部から一端部２に向かって立設した一対の壁部１０が形成されており、これら壁部１０には一端部２側に開口した凹溝１０ａ（被嵌入部）が形成されている。かかる凹溝１０ａは、図６に示すように、一端部２が係合部３ａに係合して可撓性チューブＣがクランプされた状態において、第１凸部５の両端側に形成された突起部１１（嵌入部）を嵌入可能とされている。すなわち、一端部２を係合部３ａに係合させた状態で当該凹溝１０ａに突起部１１が嵌入することにより第１凸部５及び第２凸部６の可撓性チューブＣの長手方向に対する相対的位置決めが可能とされているのである。
【００４２】
しかして、本実施形態に係る突起部１１（嵌入部）及び凹溝１０ａ（被嵌入部）は、本発明の「位置決め部」を構成しており、一端部２を係合部３ａに係合させて可撓性チューブＣをクランプした状態で、当該可撓性チューブＣの長手方向（すなわち、第１凸部５及び第２凸部６の延設方向と直交する方向であって、図６中左右方向）に対する第１凸部５及び第２凸部６の相対的位置決めが可能とされたものである。
【００４３】
上記実施形態によれば、一端部２を係合部３ａに係合させて可撓性チューブＣをクランプした状態で、当該可撓性チューブＣの長手方向に対する第１凸部５及び第２凸部６の相対的位置決めが可能な位置決め部（突起部１１及び凹溝１０ａ）を備えたので、クランプ時の液漏れを防止しつつシール面積を最小限とすることができ、クランプを容易に解除させることができる。特に、本実施形態に係る位置決め部は、一端部２及び他端部３にそれぞれ形成された凹溝１０ａ及び第１凸部５とは別個の突起部１１から成り、当該一端部２を係合部３ａに係合させた状態で当該凹溝１０ａに突起部１１が嵌入することにより第１凸部５及び第２凸部６の相対的位置決めが可能とされたので、可撓性チューブＣの長手方向に対する第１凸部５及び第２凸部６の相対的位置決めを簡素な構成でより確実に行わせることができる。
【００４４】
また、他端部３における側面の縁部から立設した壁部１０を有するとともに、当該壁部１０に凹溝１０ａが形成されたので、凹溝１０ａに対する嵌入をより円滑且つ確実に行わせることができる。なお、壁部１０を一端部２における側面の縁部から他端部３に向かって立設させてもよく、この場合、壁部１０に凹溝を形成するとともに、当該凹溝に嵌入させ得る突起部が他端部３側に形成される。
【００４５】
さらに、本実施形態に係る一対の壁部１０は、一端部２又は他端部３における両側面の縁部からそれぞれ立設されるとともに、一端部２を係合部３ａに係合させる過程で当該一端部２を案内し得るものとされている。このように、本実施形態に係るクランプ装置１によれば、位置決め部（突起部１１及び凹溝１０ａ）及び壁部１０が形成されているので、可撓性チューブＣの長手方向に対する第１凸部５及び第２凸部６の相対的位置決めに加え、一端部２の案内を行わせることができる。
【００４６】
また、本実施形態に係る係合部３ａは、他端部３の先端に形成され、一端部２の先端に形成された被係合部２ａを係合可能とされるとともに、第１凸部５、第２凸部６及び位置決め部（本実施形態においては突起部１１及び凹溝１０ａ）は、当該一端部２又は他端部３における被係合部２ａ及び係合部３ａの形成位置より中間部４側（図６中左側）に形成されたので、係合部３ａの被係合部２ａに対する係止をより小さい力で容易に行わせることができるとともに、可撓性チューブＣの長手方向に対する第１凸部５及び第２凸部６の相対的位置決めをより確実に行わせることができる。
【００４７】
次に、本発明に係る第３の実施形態について説明する。
第３の実施形態に係る可撓性チューブのクランプ装置は、先の実施形態と同様、例えば人工透析治療時に患者の血液を流すべく使用される血液回路や、該血液回路に接続された各種構成要素から延設された薬剤や生理食塩水等を流すための流路を構成する可撓性チューブをクランプし、その内部の流体の流れを遮断するためのものであり、例えば図７〜９に示すような構成とされている。なお、先の実施形態と同様の部位には同一の符号を付し、それらの詳細な説明を省略する。
【００４８】
本実施形態に係るクランプ装置１は、他端部３の両側面の縁部から一端部２に向かって立設した一対の壁部１２が形成されており、これら壁部１２の内側の面（対向する面）には一対の凸状部１２ａ、１２ｂ（被嵌入部）がそれぞれ形成されている。これら一対の凸状部１２ａ、１２ｂは、所定寸法離間して形成されており、図９に示すように、一端部２が係合部３ａに係合して可撓性チューブＣがクランプされた状態において、第１凸部５の両端部から成る嵌入部５ａを一対の凸状部１２ａ、１２ｂの間に嵌入可能とされている。すなわち、一端部２を係合部３ａに係合させた状態で凸状部１２ａ、１２ｂの離間部に嵌入部５ａが嵌入することにより第１凸部５及び第２凸部６の可撓性チューブＣの長手方向に対する相対的位置決めが可能とされているのである。
【００４９】
しかして、本実施形態に係る凸状部１２ａ、１２ｂ（被嵌入部）及び嵌入部５ａ（嵌入部）は、本発明の「位置決め部」を構成しており、一端部２を係合部３ａに係合させて可撓性チューブＣをクランプした状態で、当該可撓性チューブＣの長手方向（すなわち、第１凸部５及び第２凸部６の延設方向と直交する方向であって、図９中左右方向）に対する第１凸部５及び第２凸部６の相対的位置決めが可能とされたものである。
【００５０】
上記実施形態によれば、一端部２を係合部３ａに係合させて可撓性チューブＣをクランプした状態で、当該可撓性チューブＣの長手方向に対する第１凸部５及び第２凸部６の相対的位置決めが可能な位置決め部（凸状部１２ａ、１２ｂ（被嵌入部）及び嵌入部５ａ（嵌入部））を備えたので、クランプ時の液漏れを防止しつつシール面積を最小限とすることができ、クランプを容易に解除させることができる。特に、本実施形態に係る位置決め部は、一端部２及び他端部３にそれぞれ形成された凸状部１２ａ、１２ｂ並びに嵌入部５ａから成り、当該一端部２を係合部３ａに係合させた状態で当該凸状部１２ａ、１２ｂの間に嵌入部５ａが嵌入することにより第１凸部５及び第２凸部６の相対的位置決めが可能とされたので、可撓性チューブＣの長手方向に対する第１凸部５及び第２凸部６の相対的位置決めをより確実に行わせることができる。
【００５１】
また、他端部３における側面の縁部から立設した壁部１２を有するとともに、当該壁部１２に凸状部１２ａ、１２ｂが形成されたので、凸状部１２ａ、１２ｂの間に対する嵌入をより円滑且つ確実に行わせることができる。なお、壁部１２を一端部２における側面の縁部から他端部３に向かって立設させてもよく、この場合、壁部１２に一対の凸状部を形成するとともに、当該凸状部の離間部に嵌入させ得る嵌入部が他端部３側に形成される。
【００５２】
さらに、本実施形態に係る一対の壁部１２は、一端部２又は他端部３における両側面の縁部からそれぞれ立設されるとともに、一端部２を係合部３ａに係合させる過程で当該一端部２を案内し得るものとされている。このように、本実施形態に係るクランプ装置１によれば、位置決め部（凸状部１２ａ、１２ｂ、及び嵌入部５ａ）及び壁部１２が形成されているので、可撓性チューブＣの長手方向に対する第１凸部５及び第２凸部６の相対的位置決めに加え、一端部２の案内を行わせることができる。
【００５３】
またさらに、本実施形態に係る一対の壁部１２に形成された凸状部１２ａ、１２ｂは、第１の実施形態における離間部９と同様、第１凸部５と第２凸部６との間に挿通された可撓性チューブＣを当該壁部１２から所定寸法離間させ得るものとしてもよい。この場合、凸状部１２ａ、１２ｂによって、可撓性チューブＣの長手方向に対する第１凸部５及び第２凸部６の相対的位置決めに加え、可撓性チューブＣの径方向に対する位置決めを行わせることができる。
【００５４】
また、本実施形態に係る係合部３ａは、他端部３の先端に形成され、一端部２の先端に形成された被係合部２ａを係合可能とされるとともに、第１凸部５、第２凸部６及び位置決め部（本実施形態においては凸状部１２ａ、１２ｂ及び嵌入部５ａ）は、当該一端部２又は他端部３における被係合部２ａ及び係合部３ａの形成位置より中間部４側（図９中左側）に形成されたので、係合部３ａの被係合部２ａに対する係止をより小さい力で容易に行わせることができるとともに、可撓性チューブＣの長手方向に対する第１凸部５及び第２凸部６の相対的位置決めをより確実に行わせることができる。
【００５５】
次に、本発明に係る第４の実施形態について説明する。
第４の実施形態に係る可撓性チューブのクランプ装置は、先の実施形態と同様、例えば人工透析治療時に患者の血液を流すべく使用される血液回路や、該血液回路に接続された各種構成要素から延設された薬剤や生理食塩水等を流すための流路を構成する可撓性チューブをクランプし、その内部の流体の流れを遮断するためのものであり、例えば図１０〜１２に示すような構成とされている。なお、先の実施形態と同様の部位には同一の符号を付し、それらの詳細な説明を省略する。
【００５６】
本実施形態に係るクランプ装置１は、他端部３の両側面の縁部から一端部２に向かって一対の突起部１３（嵌入部）が形成されており、これら突起部１３は、図１２に示すように、一端部２に形成された一対の凹溝１４（被嵌入部）と嵌入可能とされている。すなわち、一端部２を係合部３ａに係合させた状態で当該凹溝１４に突起部１３が嵌入することにより第１凸部５及び第２凸部６の可撓性チューブＣの長手方向に対する相対的位置決めが可能とされているのである。
【００５７】
しかして、本実施形態に係る突起部１３（嵌入部）及び凹溝１４（被嵌入部）は、本発明の「位置決め部」を構成しており、一端部２を係合部３ａに係合させて可撓性チューブＣをクランプした状態で、当該可撓性チューブＣの長手方向（すなわち、第１凸部５及び第２凸部６の延設方向と直交する方向であって、図１２中左右方向）に対する第１凸部５及び第２凸部６の相対的位置決めが可能とされたものである。
【００５８】
上記実施形態によれば、一端部２を係合部３ａに係合させて可撓性チューブＣをクランプした状態で、当該可撓性チューブＣの長手方向に対する第１凸部５及び第２凸部６の相対的位置決めが可能な位置決め部（突起部１３及び凹溝１４）を備えたので、クランプ時の液漏れを防止しつつシール面積を最小限とすることができ、クランプを容易に解除させることができる。特に、本実施形態に係る位置決め部は、一端部２及び他端部３にそれぞれ形成され、第１凸部５、第２凸部６とは別個の凹溝１４及び突起部１３から成り、当該一端部２を係合部３ａに係合させた状態で当該凹溝１４に突起部１３が嵌入することにより第１凸部５及び第２凸部６の相対的位置決めが可能とされたので、可撓性チューブＣの長手方向に対する第１凸部５及び第２凸部６の相対的位置決めを簡素な構成でより確実に行わせることができる。
【００５９】
さらに、本実施形態に係る一対の突起部１３は、一端部２又は他端部３における両側面の縁部からそれぞれ立設されるとともに、一端部２を係合部３ａに係合させる過程で当該一端部２を案内し得るものとされている。この場合、可撓性チューブＣの長手方向に対する第１凸部５及び第２凸部６の相対的位置決めに加え、一端部２の案内を行わせることができる。
【００６０】
また、本実施形態に係る係合部３ａは、他端部３の先端に形成され、一端部２の先端に形成された被係合部２ａを係合可能とされるとともに、第１凸部５、第２凸部６及び位置決め部（本実施形態においては突起部１３及び凹溝１４）は、当該一端部２又は他端部３における被係合部２ａ及び係合部３ａの形成位置より中間部４側（図１２中左側）に形成されたので、係合部３ａの被係合部２ａに対する係止をより小さい力で容易に行わせることができるとともに、可撓性チューブＣの長手方向に対する第１凸部５及び第２凸部６の相対的位置決めをより確実に行わせることができる。
【００６１】
以上、本実施形態について説明したが、本発明はこれに限定されず、一端部を係合部に係合させて可撓性チューブをクランプした状態で、当該可撓性チューブの長手方向に対する第１凸部及び第２凸部の相対的位置決めが可能な位置決め部として、他の構成としてもよい。また、第１〜４の実施形態においては、何れも位置決め部がクランプ装置１に一体形成されているが、別体の位置決め部をクランプ装置に接着又は融着させるものとしてもよい。
【産業上の利用可能性】
【００６２】
一端部を係合部に係合させて可撓性チューブをクランプした状態で、当該可撓性チューブの長手方向に対する第１凸部及び第２凸部の相対的位置決めが可能な位置決め部を備え、当該位置決め部は、一端部及び他端部にそれぞれ形成された嵌入部及び被嵌入部から成り、当該一端部を係合部に係合させた状態で当該被嵌入部に嵌入部が嵌入することにより第１凸部及び第２凸部の相対的位置決めが可能とされ、且つ、一端部又は他端部における両側面の縁部からそれぞれ立設した壁部を有するとともに、当該壁部に嵌入部又は被嵌入部が形成され、一端部を係合部に係合させる過程で当該一端部を壁部にて案内し得るものとされ、且つ、係合部は、他端部の先端に形成され、一端部の先端に形成された被係合部を係合可能とされるとともに、第１凸部、第２凸部及び位置決め部は、当該一端部又は他端部における被係合部及び係合部の形成位置より中間部側に形成された可撓性チューブのクランプ装置であれば、外観形状が異なるもの或いは他の機能が付加されたもの等にも適用することができる。
【符号の説明】
【００６３】
１  クランプ装置
２  一端部
３  他端部
４  中間部
５  第１凸部
６  第２凸部
７  壁部
８  被嵌入部
９  離間部
１０  壁部
１０ａ  凹溝（被嵌入部）
１１  突起部（嵌入部）
１２  壁部
１２ａ、１２ｂ  被嵌入部
１３  突起部（嵌入部）
１４  凹溝（被嵌入部）
Ｃ  可撓性チューブ
【図１】
0005973669.tif 000002
【図２】
0005973669.tif 000003
【図３】
0005973669.tif 000004
【図４】
0005973669.tif 000005
【図５】
0005973669.tif 000006
【図６】
0005973669.tif 000007
【図７】
0005973669.tif 000008
【図８】
0005973669.tif 000009
【図９】
0005973669.tif 000010
【図１０】
0005973669.tif 000011
【図１１】
0005973669.tif 000012
【図１２】
0005973669.tif 000013
【図１３】
0005973669.tif 000014